(57)【要約】【課題】エスカレータの移動手すり上の表示情報を容易に変更して表示することができる表示装置を提供する。【解決手段】本明細書に開示する表示装置は、エスカレータ１の移動手すり２に配置される表示部１１と、エスカレータ１の移動手すり２の折り返し部１ａに配置され、移動手すり２の移動に伴って回転可能である回転体１６と、上記回転体１６上に配置され、上記表示部（１１）と脱着可能に接続して上記表示部１１に表示情報を伝える情報伝達部１８と、を有する。【選択図】図１
2012206810.tif 000002
【特許請求の範囲】
【請求項１】
エスカレータの移動手すりに配置される表示部と、
エスカレータの移動手すりの折り返し部に配置され、移動手すりの移動に伴って回転可能である回転体と、
前記回転体上に配置され、前記表示部と脱着可能に接続して前記表示部に表示情報を伝える情報伝達部と、を有する表示装置。
【請求項２】
前記回転体は、前記情報伝達部が前記表示部と接続することにより、前記情報伝達部を介して移動手すりから力を受けて回転する請求項１に記載の表示装置。
【請求項３】
前記情報伝達部が前記表示部から脱着した後に、前記回転体は、前記情報伝達部が配置された部分が前記回転体の中心を通る鉛直線上に位置するように重力により回転する請求項１又は２に記載の表示装置。
【請求項４】
移動手すりには、前記情報伝達部を前記表示部に接続するタイミングを知らせる接続信号を送信する送信部が配置されており、
前記送信部からの前記接続信号を受信するための受信部と、前記情報伝達部を前記表示部に脱着可能に接続する駆動部と、前記受信部及び前記駆動部を制御する制御部と、が前記回転体上に配置されており、
前記制御部は、前記受信部が接続信号を受信すると、前記駆動部を制御して前記情報伝達部を前記表示部に接続する請求項１〜３の何れか一項に記載の表示装置。
【請求項５】
表示情報は、表示情報識別情報と関連づけられており、
前記送信部は、接続信号と共に表示情報識別情報を、前記受信部に送信し、
前記制御部は、前記受信部が接続信号と共に表示情報識別情報を受信すると、前記情報伝達部を介して、受信した表示情報識別情報と関連づけられた表示情報を前記表示部に表示する請求項４に記載の表示装置。
【請求項６】
移動手すりと、
前記移動手すりに配置される表示部と、
前記移動手すりの折り返し部に配置され、前記移動手すりの移動に伴って回転可能である回転体と、
前記回転体上に配置され、前記表示部と脱着可能に接続して前記表示部に表示情報を伝える情報伝達部と、を有する表示装置と、
を備えたエスカレータ。
【請求項７】
エスカレータの移動手すりの折り返し部に配置され、移動手すりの移動に伴って回転可能である回転体と、前記回転体上に配置され、エスカレータの移動手すりに配置された表示部と脱着可能に接続する情報伝達部とを用いて、前記表示部に表示情報を表示する方法であって、
前記情報伝達部を前記表示部に接続し、
前記情報伝達部が前記表示部と接続することにより、前記情報伝達部を介して移動手すりから力を受けた前記回転体を移動手すりの移動に伴って回転させると共に、前記情報伝達部を介して表示情報を前記表示部に伝えることにより、前記表示部に表示情報を表示させる方法。
【発明の詳細な説明】
【技術分野】
【０００１】
本発明は、表示装置、エスカレータ及び表示部に表示情報を表示する方法に関する。
【背景技術】
【０００２】
従来、エスカレータの移動手すり上に広告等の表示情報が貼り付けられて表示されている。
【０００３】
エスカレータは、多数の人により利用される。従って、エスカレータの移動手すりに貼り付けられた広告等の表示情報は、多数の人の目にとまるので情報伝達力が強いため、大きな宣伝効果等が期待される。
【０００４】
例えば、移動手すりには、シート状の印刷物等が貼り付けられて、広告等の表示情報が表示される。
【先行技術文献】
【特許文献】
【０００５】
【特許文献１】特開２００５−７５５７４号公報
【特許文献２】特開２００５−２０６３７０号公報
【発明の概要】
【発明が解決しようとする課題】
【０００６】
しかしながら、幅が狭く、また湾曲面を有する移動手すり上にシート状の印刷物を貼り付けることは、手間及び時間のかかる作業である。
【０００７】
また、このような作業により表示情報が移動手すりに貼り付けられても、表示情報が同じであると、移動手すり上の表示情報が人の注意を引きつける力は次第に弱まってくる。
【０００８】
一方、一度貼り付けた表示情報を変更することは、同じ作業を再び行うことになるので、移動手すり上の表示情報の変更を度々行うことは困難である。
【０００９】
本明細書では、エスカレータの移動手すり上の表示情報を容易に変更して表示することができる表示装置を提供することを目的とする。
【００１０】
また、本明細書では、エスカレータの移動手すり上の表示情報を容易に変更して表示することができる表示装置を備えたエスカレータを提供することを目的とする。
【００１１】
更に、本明細書では、エスカレータの移動手すり上の表示情報を容易に変更して表示することができる方法を提供することを目的とする。
【課題を解決するための手段】
【００１２】
本明細書に開示する表示装置の一形態によれば、エスカレータの移動手すりに配置される表示部と、エスカレータの移動手すりの折り返し部に配置され、移動手すりの移動に伴って回転可能である回転体と、上記回転体上に配置され、上記表示部と脱着可能に接続して上記表示部に表示情報を伝える情報伝達部と、を有する。
【００１３】
また、本明細書に開示するエスカレータの一形態によれば、移動手すりと、上記移動手すりに配置される表示部と、上記移動手すりの折り返し部に配置され、上記移動手すりの移動に伴って回転可能である回転体と、上記回転体上に配置され、上記表示部と脱着可能に接続して上記表示部に表示情報を伝える情報伝達部と、を有する表示装置と、を備える。
【００１４】
更に、本明細書に開示する表示部の表示情報を変更する方法の一形態によれば、エスカレータの移動手すりの折り返し部に配置され、移動手すりの移動に伴って回転可能である回転体と、上記回転体上に配置され、エスカレータの移動手すりに配置された表示部と脱着可能に接続する情報伝達部とを用いて、上記表示部に表示情報を表示する方法であって、上記情報伝達部を上記表示部に接続し、上記情報伝達部が上記表示部と接続することにより、上記情報伝達部を介して移動手すりから力を受けた上記回転体を移動手すりの移動に伴って回転させると共に、上記情報伝達部を介して表示情報を上記表示部に伝えることにより、上記表示部に表示情報を表示させる。
【発明の効果】
【００１５】
上述した本明細書に開示する表示装置の一形態によれば、エスカレータの移動手すり上の表示情報を容易に変更して表示することができる。
【００１６】
また、本明細書に開示するエスカレータの一形態によれば、エスカレータの移動手すり上の表示情報を容易に変更して表示することができる。
【００１７】
更に、本明細書に開示する方法の一形態によれば、エスカレータの移動手すり上の表示情報を容易に変更して表示することができる。
【００１８】
本発明の目的及び効果は、特に請求項において指摘される構成要素及び組み合わせを用いることによって認識され且つ得られるだろう。
【００１９】
前述の一般的な説明及び後述の詳細な説明の両方は、例示的及び説明的なものであり、特許請求の範囲に記載されている本発明を制限するものではない。
【図面の簡単な説明】
【００２０】
【図１】本明細書に開示するエスカレータの一実施形態を示す図である。
【図２】図１のエスカレータの表示装置を示す図である。
【図３】図１のＸ−Ｘ線端面図である。
【図４】（Ａ）は図２のレセプタクル側コネクタとプラグ側コネクタとが接続していない状態を示す図であり、（Ｂ）は接続した状態を示す図である。
【図５】図２の表示装置のブロック図である。
【図６】図２の表示装置の制御部の機能ブロック図である。
【図７】図２の表示部の断面構造を模式的に示す図である。
【図８】（Ａ）は図２の表示部の表示パネルの平面図であり、（Ｂ）は（Ａ）に示す表示パネルの断面図である。
【図９】図２に示す表示装置の動作例を説明するフローチャートである。
【図１０】図２に示す表示装置の動作例を説明する図（その１）である。
【図１１】図２に示す表示装置の動作例を説明する図（その２）である。
【図１２】図２に示す表示装置の動作例を説明する図（その３）である。
【図１３】図２に示す表示装置の動作例を説明する図（その４）である。
【図１４】図２に示す表示装置の動作例を説明する図（その５）である。
【図１５】本明細書に開示するエスカレータの変型例を示す図である。
【発明を実施するための形態】
【００２１】
以下、本明細書で開示するエスカレータの好ましい実施形態を、図面を参照して説明する。但し、本発明の技術範囲はそれらの実施形態に限定されず、特許請求の範囲に記載された発明とその均等物に及ぶものである。
【００２２】
図１は、本明細書に開示するエスカレータの一実施形態を示す図である。図２は、図１のエスカレータの表示装置を示す図である。図３は、図１のＸ−Ｘ線端面図である。
【００２３】
エスカレータ１は、移動手すり２と、エスカレータ１の移動手すり２上に配置される表示部１１を有する表示装置１０と、を備える。エスカレータ１は、利用者が下階から上階へ昇るために利用される。
【００２４】
図１に示すように、移動手すり２は、駆動輪５により駆動されて、図示しない移動階段と同期しながら移動して、エスカレータ１の下階側の折り返し部１ａ及び上階側の折り返し部１ｂの間を周回する。
【００２５】
図３に示すように、移動手すり２は、案内レール３に摺動可能に係合しており、この案内レール３に沿って移動する。移動手すり２は、断面がＣの字の形状を有しており、平坦部２ａと、平坦部２ａの両側それぞれに配置された折り返し部２ｂとを有する。折り返し部２ｂは、案内レール３の端部を覆うように折り返して内方に延びている。案内レール３は、内側板４に固定されている。
【００２６】
表示部１１は、表示情報を表示しながら、移動手すり２と共に移動しており、エスカレータの利用者から視認される。
【００２７】
表示装置１０は、表示部１１が移動手すり２と共に下階側の折り返し部１ａで折り返す際に、表示部１１に表示される表示情報を変更して表示する。
【００２８】
表示部１１は、移動手すりの平坦部２ａの上に固定されている。表示部１１は、可撓性を有し、移動手すり２の変形に追従して変形可能である。表示部１１は、面状の表示パネルを有しており、この表示パネルに表示情報が表示される。表示部１１の詳細な説明は後述する。
【００２９】
また、表示部１１は、表示する表示情報を受け取るためのプラグ側コネクタ１２を有する。プラグ側コネクタ１２は、表示部１０における移動手すり２の進行方向後方側の端部であって、移動手すり２の折り返し部２ｂにおける内方に折り返された部分に固定される。プラグ側コネクタ１２と表示部１１とは、接続ケーブル１３により接続される。接続ケーブル１３は、移動手すり２の折り返し部２ｂに固定される。
【００３０】
また、表示装置１０は、エスカレータ１の移動手すり２の下階側の折り返し部１ａ内に配置され、移動手すり２の移動に伴って回転可能である回転体１６と、表示部１０のプラグ側コネクタ１２と脱着可能に接続して表示部１０に表示情報を伝える情報伝達部としてのレセプタクル側コネクタ１８とを有する。更に、表示装置１０は、レセプタクル側コネクタ１８を表示部１１に脱着可能に接続する駆動部１７と、駆動部１７を制御する制御部１５とを有する。レセプタクル側コネクタ１８及び駆動部１７及び制御部１５は、回転体１６上に配置される。また、回転体１６上には、駆動部１７及び制御部１５に対して電力を供給する図示しないバッテリが配置され得る。
【００３１】
回転体１６は、円形であり、下階側の折り返し部１ａの内側に収まる直径を有する。回転体１６は、レセプタクル側コネクタ１８が表示部１０のプラグ側コネクタ１２と接続することにより、レセプタクル側コネクタ１８を介して移動手すり２から力を受けて、回転軸１６ａの周りを回転する。回転軸１６ａは、内側板４に固定される。
【００３２】
駆動部１７は、レセプタクル側コネクタ１８を駆動する駆動軸１７ａを有する。レセプタクル側コネクタ１８は、駆動軸１７ａの端部に固定される。駆動部１７は、駆動軸１７ａを回転体１６の動径方向に沿って伸縮させて、レセプタクル側コネクタ１８と表示部１０のプラグ側コネクタ１２との接続及び脱着を行う。
【００３３】
移動手すり２には、表示部１０のプラグ側コネクタ１２を表示部１０に接続するタイミングを知らせる接続信号を送信する送信部が配置される。本実施形態では、送信部として、ＲＦＩＤタグ１４を用いている。ＲＦＩＤタグ１４は、図示しないが、電波を送受信するアンテナと、ＩＣチップとを備えている。このＩＣチップは、メモリを有しており、このメモリは、タグＩＤ及び表示情報と関連づけられた表示情報識別情報を記憶する。タグＩＤは、一意的に定められた識別番号であり、一のＲＦＩＤタグを他のＲＦＩＤタグから識別する。このタグＩＤが、接続信号として用いられる。
【００３４】
ＲＦＩＤタグ１４は、表示部１０における移動手すり２の進行方向前方側の端部であって、移動手すり２の折り返し部２ｂにおける内方に折り返された部分に固定される。
【００３５】
また、回転板１６上には、ＲＦＩＤタグ１４からの接続信号及び表示情報識別情報を受信する受信部としてのＲＦＩＤリーダ１９が配置される。
【００３６】
ＲＦＩＤリーダ１９は、アンテナ１９ａから電力用搬送波を送信している（図５参照）。ＲＦＩＤタグ１４は、ＲＦＩＤリーダ１９からの電力用搬送波を受信すると、ＲＦＩＤタグ１４のメモリに記憶された接続信号及び表示情報識別情報を無線により送信する。そして、送信された接続信号及び表示情報識別情報が、ＲＦＩＤリーダ１９により受信され、非接触に読み取られる。ＲＦＩＤリーダ１９は、制御部１５によって制御される。
【００３７】
制御部１５は、ＲＦＩＤリーダ１９が接続信号を受信すると、駆動部１７を制御してレセプタクル側コネクタ１８を表示部１０のプラグ側コネクタ１２に接続する。
【００３８】
図４（Ａ）は図２のレセプタクル側コネクタとプラグ側コネクタとが接続していない状態を示す図であり、図４（Ｂ）は図２のレセプタクル側コネクタとプラグ側コネクタとが接続した状態を示す図である。
【００３９】
プラグ側コネクタ１２は、移動手すり２に固定されるプラグ本体４１と、レセプタクル側コネクタ１８と電気的に接続して、表示情報の電気信号を受け取る複数のプラグ端子４２とを有する。プラグ端子４２は、プラグ本体４１から凸状に突出している。プラグ端子４２は、接続ケーブル１３を介して表示部１１に電気的に接続する。
【００４０】
レセプタクル側コネクタ１８は、駆動軸１７ａに固定されるレセプタクル本体５１と、プラグ側コネクタ１２のプラグ端子４２と電気的に接続して、表示情報の電気信号を伝達するレセプタクル端子５２とを有する。レセプタクル端子５２は、凹状の形状を有しており、プラグ端子４２が嵌合可能に形成される。
【００４１】
ＲＦＩＤタグ１４は、レセプタクル側コネクタ１８がプラグ側コネクタ１２と同期して接続されるように接続信号をＲＦＩＤリーダ１９に対して送信する移動手すり２上の位置に配置される。
【００４２】
図５は、図２の表示装置のブロック図である。
【００４３】
制御部１５は、記憶部２２と、表示制御部２３と、駆動制御部２４と、これらを制御する中央制御部２１とを有する。
【００４４】
記憶部２２は、表示部１１に表示させる表示情報としての表示データ１、表示データ２、・・・、表示データｎを記憶する。各表示データは、表示情報識別情報と関連付けられて記憶部２２に記憶されている。また、記憶部２２には、接続信号としてのＲＦＩＤタグ１４のタグＩＤも記憶される。本実施形態では、表示データは広告である。
【００４５】
表示制御部２３は、中央制御部２１により制御されて、レセプタクル側コネクタ１８及びプラグ側コネクタ１８を介して、表示データを表示部１１に伝達する。
【００４６】
また、駆動制御部２４は、駆動部１７を制御して、レセプタクル側コネクタ１８と表示部１０のプラグ側コネクタ１２との接続及び脱着を行う。
【００４７】
図６は、図２の表示装置の制御部の機能ブロック図である。
【００４８】
制御部１５は、演算部３０と、演算部３０が実行する所定のプログラムを記憶する記憶部３１と、ＲＦＩＤリーダ１９又はレセプタクル側コネクタ１８又は駆動部１７等との間で通信を行う入力部３２及び出力部３３とを有する。また、制御部１５は、入力部３２及び出力部３３を用いて外部との間での通信を行って、プログラム又は表示データ等のデータの変更又は更新を行う。
【００４９】
制御部１５は、記憶部３１に記憶された所定のプログラムを実行することにより、図５に示す各機能を実現する。
【００５０】
制御部１５としては、例えば、マイコン、サーバ又はパーソナルコンピュータ等のコンピュータ、若しくはステートマシン等を用いることができる。また、制御部は、電子回路等を用いてハードウェアにより形成されても良い。
【００５１】
次に、上述した表示部１１について、以下に詳細に説明する。
【００５２】
図７は、図２の表示部の断面構造を模式的に示す図である。図８（Ａ）は図２の表示部の表示パネルの平面図であり、図８（Ｂ）は図８（Ａ）に示す表示パネルの断面図である。
【００５３】
表示部１１は、電子ペーパである。図７に示すように、表示部１１は、３枚の表示パネル１１０Ｂ，１１０Ｇ，１１０Ｒを有する表示素子１１０と、表示素子１１０を駆動する駆動回路１３０Ｂ，１３０Ｇ，１３０Ｒとを備える。表示素子１１０は、外部からの光を反射して、画像を映し出す。
【００５４】
表示素子１１０は、表示面１１０Ｓ側から順に、青（Ｂ）表示パネル１１０Ｂと、緑（Ｇ）表示パネル１１０Ｇと、赤（Ｒ）表示パネル１１０Ｒとが積層された構造を有している。図示において、上方の基板側が表示面１１０Ｓであり、外光（実線矢印）は基板上方から表示面１１０Ｓに向かって入射するようになっている。なお、基板上方に観測者の目及びその観察方向（破線矢印）を模式的に示している。
【００５５】
Ｂ表示パネル１１０Ｂは、一対の上基板１１１Ｂ及び下基板１１３Ｂと、基板間とシール部１１９により封入された青（Ｂ）用液晶のＢ液晶層１１２Ｂと、を有している。また、表示部１１は、Ｂ表示パネル１１０Ｂの基板上の電極に所定のパルス信号を印加してＢ液晶層１１２Ｂに所定のパルス電圧を印加する青用駆動回路１３０Ｂを有する。
【００５６】
Ｇ表示パネル１１０ＧおよびＲ表示パネル１１０Ｒも同様の構成を有するが、選択反射光の中心波長が異なる。表示部１１は、Ｇ表示パネル１１０Ｇを駆動する緑用駆動回路１３０Ｇ及びＲ表示パネル１１０Ｒを駆動する赤用駆動回路１３０Ｒを有する。
【００５７】
Ｒ表示パネル１１０Ｒの下基板１１３Ｒの裏面には光吸収層１２０が配置されている。
【００５８】
各Ｒ、Ｇ、Ｒ液晶層に用いられているコレステリック液晶は、ネマティック液晶にキラル性の添加剤（カイラル材ともいう）を数十ｗｔ％の含有率で比較的大量に添加した液晶混合物である。ネマティック液晶にカイラル材を比較的大量に含有させると、ネマティック液晶分子を強く螺旋状に捻ったコレステリック相を形成することができる。このためコレステリック液晶はカイラルネマティック液晶とも称される。
【００５９】
コレステリック液晶は、基板表面に平行に層をなす状態と垂直方向に層をなす状態の２つの安定的な状態がある。この２つの状態は、電気的に切り替え可能であり、電圧を供給しなくとも、２つの状態が保持できる双安定性の特徴をもつ。
【００６０】
上基板及び下基板に設けられた電極に高電圧を印加すると、螺旋状に連なる液晶分子の螺旋軸が、上基板及び下基板に垂直な方向に配列し、基板面に平行な層をなす状態になる。この状態をプレーナ（Ｐｌａｎａｒ）状態と呼ぶ。プレーナ状態の液晶層は、液晶分子の螺旋ピッチに応じた波長の光を選択的に反射（選択反射）し、特定の色を呈して、反射表示される。これが明状態（反射状態）である。この時、反射される光は螺旋ピッチの回転方向に応じて左右どちらかの一方の円偏光となる。
【００６１】
反射が最大となる波長λは、液晶の平均屈折率ｎ、螺旋ピッチｐから次の式で示される。
【００６２】
λ＝ｎ・ｐ
一方、反射帯域Δλは液晶の屈折率異方性Δｎに伴って大きくなる。
【００６３】
これに対して、上基板及び下基板に設けられた電極に低電圧を印加すると、螺旋状に連なる液晶分子の螺旋軸が、上基板及び下基板に平行な方向に配列した状態になる。この状態をフォーカルコニック（Ｆｏｃａｌ  Ｃｏｎｉｃ）状態と呼ぶ。フォーカルコニック状態では、干渉反射は生じないため、素子に入射した光は透過する。これが暗状態（透過状態）である。反射状態でも、反射されない光は、液晶層を透過するだけなので、下層に異なる色を反射させる液晶層を配置させることにより、反射色を合成することが可能となる。
【００６４】
表示素子１１０は、コレステリック液晶層の干渉反射を用いるので、明状態で反射される光は、波長により変化する。そのため、液晶の螺旋ピッチを設定することにより、反射光が赤色（Ｒ）、緑色（Ｇ）及び青色（Ｂ）を呈する表示パネルが得られる。
【００６５】
コレステリック液晶は双安定性（メモリ性）を備えており、液晶に印加する電界強度の調節によりプレーナ状態、フォーカルコニック状態、またはそれらの混合による中間的な状態のいずれかの状態をとることができ、一旦プレーナ状態、フォーカルコニック状態、またはそれらの中間的な状態になると、その後は無電界下においても安定してその状態を保持する。
【００６６】
プレーナ状態は、例えば、上下基板間に所定の高電圧を印加して液晶層に強電界を与え、液晶をホメオトロピック状態にした後、急激に電界をゼロにすることにより得られる。
【００６７】
フォーカルコニック状態は、例えば、上記高電圧より低い所定電圧を上下基板間に印加して液晶層に電界を与えた後、急激に電界をゼロにすることにより得られる。あるいは、プレーナ状態から徐々に電圧を加えることで得ることができる。
【００６８】
プレーナ状態とフォーカルコニック状態の中間的な状態は、例えば、フォーカルコニック状態が得られる電圧よりも低い電圧を上下基板間に印加して液晶層に電界を与えた後、急激に電界をゼロにすることにより得られる。プレーナ状態とフォーカルコニック状態の中間の状態においては，その状態に応じて反射光と透過光の割合を調整できるので，反射光の強度を可変できる。
【００６９】
このように，コレステリック液晶では、螺旋状に捻られた液晶分子の配向状態で光の反射量を制御することができる。液晶分子の配向状態を変化させるには、前述したとおり、液晶表示素子を封入した上下基板に電圧を印加する必要がある。
【００７０】
Ｂ表示パネル１１０Ｂを明（反射）状態にし、Ｇ表示パネル１１０Ｇ及びＲ表示パネル１１０Ｒを暗（透過）状態にすると、青色の表示が行われる。同様に、Ｇ表示パネル１１０Ｇを明（反射）状態にし、Ｂ表示パネル１１０Ｂ及びＲ表示パネル１１０Ｒを暗（透過）状態にすると、緑色の表示が行われる。更に、Ｒ表示パネル１１０Ｒを明（反射）状態にし、Ｂ表示パネル１１０Ｂ及びＧ表示パネル１１０Ｇを暗（透過）状態にすると、赤色の表示が行われる。また、Ｂ表示パネル１１０ＢからＲ表示パネル１１０Ｒをすべて明（反射）状態にすると、白色の表示が行われ、Ｂ表示パネル１１０ＢからＲ表示パネル１１０Ｒをすべて暗（透過）状態にすると、黒色の表示が行われる。
【００７１】
コレステリック液晶による反射型液晶表示方式では、上記のようにプレーナ状態を「明状態」、フォーカルコニック状態を「暗状態」として表示に利用する。表示特性としての明度は、プレーナ状態（明状態）の反射率が大きいほど良好となり、コントラストはフォーカルコニック状態（暗状態）での透明度が高いほど良好となる。
【００７２】
図８（Ａ）及び図８（Ｂ）に示すように、Ｂ表示パネル１１０Ｂの下基板１１３ＢのＢ液晶層１１２Ｂの側には、図８（Ａ）の図中上下方向に延びる複数の帯状のデータ電極１１４が並列して形成されている。また、上基板１１１ＢのＢ液晶層１１２Ｂの側には、図８（Ａ）の図中左右方向に延びる複数の帯状の走査電極１１５が並列して形成されている。データ電極１１４、及び走査電極１１５は、透明電極のパターニングにより、所望のピッチで形成される。
【００７３】
図８（Ａ）に示すように、上下基板の電極形成面を法線方向に見て、両電極は、互いに交差して対向配置されている。両電極の各交差領域がそれぞれピクセル（画素）となる。ピクセルがマトリクス状に配列されて表示画面を形成している。
【００７４】
上基板１１１Ｂには、複数の走査電極１１５を駆動する走査電極用ドライバＩＣが実装された走査電極駆動回路１３２Ｂが接続されている。また、下基板１１３Ｂには、複数のデータ電極１１４を駆動するデータ電極用ドライバＩＣが実装されたデータ電極駆動回路１３１Ｂが接続されている。青用駆動回路１３０Ｂは、データ電極駆動回路１３１Ｂ及び走査電極駆動回路１３２Ｂにより形成される。青用駆動回路１３０Ｂは、レセプタクル側コネクタ１８から伝達された表示データに基づいて、走査信号やデータ信号を所定の走査電極１１５又はデータ電極１１４に出力するようになっている。
【００７５】
上基板１１１ＢのＢ液晶層１１２Ｂと接する面には、上配向膜１１６が、走査電極１１５を覆うように配置される。上配向膜１１６には、所定の方向に複数の溝が形成されており、Ｂ液晶層１１２Ｂの液晶分子の配向する方向を規制する。同様に、下基板１１３ＢのＢ液晶層１１２Ｂと接する面には、下配向膜１１７が、データ電極１１４を覆うように配置される。上配向膜１１６の溝の方向と、下配向膜１１７の溝の方向とは、上基板１１１Ｂ及び下基板１１３Ｂを重ね合わせたときに直交する方向（クロスラビング）とされる。
【００７６】
これにより、プレーナ状態のＢ液晶層は、液晶分子の方向が全体に揃った方向に配向したモノドメイン状態となり、反射光の指向性が強くなるが、その方向の反射率は高くなる。配向規制力の強さに応じて反射光の指向性及び反射率が変化する。
【００７７】
また、Ｂ表示パネル１１０Ｂは、Ｂ液晶層１１２Ｂの厚さを決定するスペーサ１１８を有する。上基板１１１Ｂと下基板１１３Ｂとの間には、複数のスペーサ１１８が配置されており、Ｂ液晶層１１２Ｂの厚さを一定にする。スペーサ１１８は、具体的には、上配向膜１１６と下配向膜１１７との間に配置される。スペーサ１１８としては、例えば、樹脂製または無機酸化物製の球体を用いることができる。
【００７８】
上述したＢ表示パネル１１０Ｂ及び青用駆動回路１３０Ｂの説明は、Ｂ表示パネル１１０Ｇ及び緑用駆動回路１３０Ｇ並びにＲ表示パネル１１０Ｒ及び赤用駆動回路１３０Ｒに対しても適宜適用される。
【００７９】
また、制御部１７から、青用駆動回路１３０Ｂ及び緑用駆動回路１３０Ｇ及び赤用駆動回路１３０Ｒには、レセプタクル側コネクタ１８を介して電力が供給される。
【００８０】
以上が、表示部１１についての説明である。
【００８１】
表示装置１０は、移動手すり２上に配置される表示部１１以外の部分が、回転体１６上に配置されており、この回転体１６は、エスカレータ１の下階側の折り返し部１ａにおける移動手すり２で囲まれた部分に収納される。従って、エスカレータ１に乗る利用者からは、表示部１１以外の表示装置１０の部分は視認され難くなっており、美観性に優れる。
【００８２】
また、表示装置１０では、表示部１１として、メモリ性を有する電子ペーパを用いているので、表示情報の書き換え時以外には、電力の供給を必要としない。また、ＲＦＩＤタグ１４も、ＲＦＩＤリーダ１９からの電力搬送波により電力の供給を受けて送信するので、ＲＦＩＤタグ１４自身にも固有の電源は必要としない。
【００８３】
このように、表示装置１０は、独立の電源を必要としない表示部１１を移動手すり１に配置し、表示部１１以外の表示装置１０の部分をエスカレータ１の下階側の折り返し部１ａに配置するだけなので、既存のエスカレータに対して容易に後から設置可能である。
【００８４】
次に、上述したエスカレータ１の表示装置１０の動作例を、図面を参照しながら、以下に説明する。下記に説明する表示装置１０の動作は、演算部３０が記憶部３１に記憶された所定のプログラムを実行することにより実現される。
【００８５】
まず、図２に示すように、レセプタクル側コネクタ１８がプラグ側コネクタと接続していない状態では、回転体１６は、レセプタクル側コネクタ１８が回転体１６の中心１６ｂを通る鉛直線上の下側に位置する状態で待機する。重力以外の外力が回転体１６に働かない状態では、回転体１６は、レセプタクル側コネクタ１８及び駆動部１７等の重さによって、レセプタクル側コネクタ１８が配置されている部分が、回転体１６の中心１６ｂを通る鉛直線上の下側に来るようになる。本明細書において、回転体１６の中心１６ｂを通る鉛直線上の下側は、回転体１６の中心１６ｂを通る鉛直線上において、回転体１６の中心１６ｂよりも地球の中心に近い側の部分を意味する。
【００８６】
次に、ステップＳ１０において、移動手すり２と共に移動するＲＦＩＤタグ１４が、ＲＦＩＤリーダ１９のアンテナ１９ａに対して所定の距離内に近づくと、ＲＦＩＤリーダ１９が、ＲＦＩＤタグ１４から、接続信号としてのタグＩＤ及び表示情報識別情報を受信する。
【００８７】
次に、ステップＳ１２において、ＲＦＩＤリーダ１９は、受信したタグＩＤ及び表示情報識別情報を中央制御部２１に送る。
【００８８】
次に、ステップＳ１４において、中央制御部２１は、ＲＦＩＤリーダ１９が受信したタグＩＤが、記憶部２２に記憶されているタグＩＤの何れかの１つと一致している場合には、駆動制御部２４に駆動信号を送る。なお、中央制御部２１は、ＲＦＩＤリーダ１９が受信したタグＩＤが、記憶部２２に記憶されているタグＩＤの何れとも一致しない場合には、それ以上の動作は行わない。
【００８９】
次に、ステップＳ１６において、図１０に示すように、駆動制御部２４は、駆動部１７を制御して、回転体１６の中心１６ｂを通る鉛直線上の位置で、レセプタクル側コネクタ１８を表示部１１のプラグ側コネクタ１２に接続する。図４（Ｂ）に示すように、駆動軸１７ａにより駆動されるレセプタクル側コネクタ１８は、各レセプタクル端子５２にプラグ端子４２が嵌合されて、プラグ側コネクタ１２と電気的に接続する。
【００９０】
次に、ステップＳ１８において、中央制御部２１は、記憶部２２から表示情報識別情報に関連づけられた表示データを読み出して、表示制御部２３に送る。表示制御部２３は、表示データを、レセプタクル側コネクタ１８に送る。
【００９１】
次に、ステップＳ２０において、図１１に示すように、レセプタクル側コネクタ１８を介して移動手すり２から力を受けた回転体１６は、移動手すり２の移動に伴って回転する。また、回転体１６が移動手すり２の移動に伴って回転するのと共に、表示制御部２３は、レセプタクル側コネクタ１８及びプラグ側コネクタ１２を介して、表示データと共に電力を表示部１１に供給する。そして、レセプタクル側コネクタ１８及びプラグ側コネクタ１２を介して表示データが表示部１１に伝えられることにより、表示部１１に伝達された表示データが表示される。すでに表示部１１に他の表示データが表示されている場合には、表示内容が変更されて表示される。
【００９２】
ここで、これからエスカレータ１に乗ろうとする利用者は、図１１中の矢印に示す方向から、移動手すり２上の表示部１１を見ることになる。この際、利用者は、表示部１１の表示パネルの表示内容が変化する状態を見ることになるので、表示部１１は利用者の注意を大いに喚起する。本実施形態のように、表示データが広告である場合には、利用者に対する広告効果が大きくなる。
【００９３】
次に、ステップＳ２２において、図１２に示すように、レセプタクル側コネクタ１８が回転体１６の中心１６ｂを通る鉛直線上に到達する前に、レセプタクル側コネクタ１８をプラグ側コネクタ１２から脱着させる。具体的には、レセプタクル側コネクタ１８が回転体１６の中心１６ｂを通る鉛直線上の上側に到達する前に、レセプタクル側コネクタ１８をプラグ側コネクタ１２から脱着させる。本明細書において、回転体１６の中心１６ｂを通る鉛直線上の上側は、回転体１６の中心１６ｂを通る鉛直線上において、回転体１６の中心１６ｂに対して地球の中心とは反対側の部分を意味する。
【００９４】
次に、ステップＳ２４において、図１３に示すように、回転体１６のレセプタクル側コネクタ１８が配置された部分が回転体１６の中心１６ｂを通る鉛直線上に位置するように、回転体１６が重力により回転する。レセプタクル側コネクタ１８は、回転体１６の中心１６ｂを通る鉛直線よりも図１２中の左側の領域で、プラグ側コネクタ１２から脱着したので、回転力により回転体１６が反時計回りに回転する。
【００９５】
そして、回転体１６は、回転体１６のレセプタクル側コネクタ１８が配置された部分が、回転体１６の中心１６ｂを通る鉛直線上を行きつ戻りつした後に静止して、回転体１６の中心１６ｂを通る鉛直線上に位置する。そして、停止した回転体１６は、図２に示す状態に戻り、上述した動作が繰り返される。
【００９６】
また、表示装置１０は、図１４に示すように、回転体１６のレセプタクル側コネクタ１８が配置された部分が回転体１６の中心１６ｂを通る鉛直線上に位置で停止するように、回転体１６を停止させる回転停止部２０を備えていても良い。このような回転停止部２０を用いることにより、回転体１６のレセプタクル側コネクタ１８が配置された部分が、回転体１６の中心１６ｂを通る鉛直線上に位置するように、回転体１６を速やかに停止できる。
【００９７】
上述した本実施形態のエスカレータ１によれば、移動手すり２と同期して、表示部１１の表示情報を表示することができるので、移動手すり２上の表示情報を容易に変更して表示することができる。
【００９８】
表示部１１は、移動手すり２が一周するごとに、下階側の折り返し部１ａに到来する。制御部１７は、表示部１１の下階側の折り返し部１ａへの到来ごとに、表示部１１の表示情報を変更しても良い。また、外部から制御部１７に対して、表示部１１の表示情報を変更する指示信号を送信し、この指示信号を受信した時のみ、制御部１７が表示部１１の表示情報を変更するようにしても良い。
【００９９】
また、移動手すり２上には、複数の表示部１１を配置しても良い。各表示部１１は、ＲＦＩＤタグ１４が有するタグＩＤによって識別される。
【０１００】
次に、上述した実施形態のエスカレータの変形例を、図面を参照して、以下に説明する。
【０１０１】
図１５は、本明細書に開示するエスカレータの変型例を示す図である。
【０１０２】
本変形例では、表示装置１０は、エスカレータ１の移動手すり２の上階側の折り返し部１ｂに備えつけられている。また、レセプタクル側コネクタ１８が配置されている回転体１６上の位置と回転体１６の中心１６ｂとを結んだ動径方向の反対側の回転体１６の端部に、おもり６０が配置される。
【０１０３】
本変形例では、レセプタクル側コネクタ１８がプラグ側コネクタと接続していない状態では、回転体１６は、レセプタクル側コネクタ１８が回転体１６の中心１６ｂを通る鉛直線上の上側に位置する状態で待機する。重力以外の外力が回転体１６に働かない状態では、回転体１６は、おもり６０の重さによって、おもり６０が配置されている部分が、回転体１６の中心１６ｂを通る鉛直線上の下側に来るようになされる。
【０１０４】
そして、移動手すり２と共に移動するＲＦＩＤタグ１４が、ＲＦＩＤリーダ１９のアンテナ１９ａに対して所定の距離内に近づくと、ＲＦＩＤリーダ１９がＲＦＩＤタグ１４から、接続信号としてのタグＩＤ及び表示情報識別情報を受信する。この処理以降の動作は、上述した動作例と同様である。ただし、レセプタクル側コネクタ１８をプラグ側コネクタ１２から脱着した後は、図１５の状態に戻る。
【０１０５】
本発明では、上述した実施形態の表示装置、エスカレータ及び表示部に表示情報を表示する方法は、本発明の趣旨を逸脱しない限り適宜変更が可能である。
【０１０６】
例えば、表示装置は、歩く歩道の移動手すりの折り返し部に配置されても良い。
【０１０７】
また、上述した実施形態では、エスカレータは昇り用であったが、エスカレータは降下用であっても良い。この場合にも、表示装置１０の回転体１６を、上階側又は下階側の折り返し部に配置することができる。
【０１０８】
また、表示部は、電子ペーパ以外の表示手段であっても良い。例えば、表示部として、ＴＦＴを用いた表示手段を用いても良い。
【０１０９】
また、表示部に表示される表示情報は、広告に限られるものではない。表示情報は、例えば、写真又は絵画等であっても良いし、若しくは、利用者に対してエスカレータを利用する際の注意事項等の文章であっても良い。
【０１１０】
ここで述べられた全ての例及び条件付きの言葉は、読者が、発明者によって寄与された発明及び概念を技術を深めて理解することを助けるための教育的な目的を意図する。ここで述べられた全ての例及び条件付きの言葉は、そのような具体的に述べられた例及び条件に限定されることなく解釈されるべきである。また、明細書のそのような例示の機構は、本発明の優越性及び劣等性を示すこととは関係しない。本発明の実施形態は詳細に説明されているが、その様々な変更、置き換え又は修正が本発明の精神及び範囲を逸脱しない限り行われ得ることが理解されるべきである。
【０１１１】
以上の上述した各実施形態に関し、更に以下の付記を開示する。
【０１１２】
（付記１）
エスカレータの移動手すりに配置される表示部と、
エスカレータの移動手すりの折り返し部に配置され、移動手すりの移動に伴って回転可能である回転体と、
前記回転体上に配置され、前記表示部と脱着可能に接続して前記表示部に表示情報を伝える情報伝達部と、を有する表示装置。
【０１１３】
（付記２）
前記回転体は、前記情報伝達部が前記表示部と接続することにより、前記情報伝達部を介して移動手すりから力を受けて回転する付記１に記載の表示装置。
【０１１４】
（付記３）
前記情報伝達部が前記表示部から脱着した後に、前記回転体は、前記情報伝達部が配置された部分が前記回転体の中心を通る鉛直線上に位置するように重力により回転する付記１又は２に記載の表示装置。
【０１１５】
（付記４）
前記表示部と接続した前記情報伝達部は、前記情報伝達部が前記回転体の中心を通る鉛直線上に到達する前に前記表示部から脱着する付記３に記載の表示装置。
【０１１６】
（付記５）
前記情報伝達部は、前記回転体の中心を通る鉛直線上の位置で前記表示部と接続する付記１〜４の何れか一項に記載の表示装置。
【０１１７】
（付記６）
移動手すりには、前記情報伝達部を前記表示部に接続するタイミングを知らせる接続信号を送信する送信部が配置されており、
前記送信部からの前記接続信号を受信するための受信部と、前記情報伝達部を前記表示部に脱着可能に接続する駆動部と、前記受信部及び前記駆動部を制御する制御部と、が前記回転体上に配置されており、
前記制御部は、前記受信部が接続信号を受信すると、前記駆動部を制御して前記情報伝達部を前記表示部に接続する付記１〜５の何れか一項に記載の表示装置。
【０１１８】
（付記７）
表示情報は、表示情報識別情報と関連づけられており、
前記送信部は、接続信号と共に表示情報識別情報を、前記受信部に送信し、
前記制御部は、前記受信部が接続信号と共に表示情報識別情報を受信すると、前記情報伝達部を介して、受信した表示情報識別情報と関連づけられた表示情報を前記表示部に表示する付記６に記載の表示装置。
【０１１９】
（付記８）
前記情報伝達部が配置されている前記回転体上の位置と前記回転体の中心とを結んだ動径方向の反対側の前記回転体の端部に、おもりが配置される付記１〜７の何れか一項に記載の表示装置。
【０１２０】
（付記９）
移動手すりと、
前記移動手すりに配置される表示部と、
前記移動手すりの折り返し部に配置され、前記移動手すりの移動に伴って回転可能である回転体と、
前記回転体上に配置され、前記表示部と脱着可能に接続して前記表示部に表示情報を伝える情報伝達部と、を有する表示装置と、
を備えたエスカレータ。
【０１２１】
（付記１０）
エスカレータの移動手すりの折り返し部に配置され、移動手すりの移動に伴って回転可能である回転体と、前記回転体上に配置され、エスカレータの移動手すりに配置された表示部と脱着可能に接続する情報伝達部とを用いて、前記表示部に表示情報を表示する方法であって、
前記情報伝達部を前記表示部に接続し、
前記情報伝達部が前記表示部と接続することにより、前記情報伝達部を介して移動手すりから力を受けた前記回転体を移動手すりの移動に伴って回転させると共に、前記情報伝達部を介して表示情報を前記表示部に伝えることにより、前記表示部に表示情報を表示させる方法。
【０１２２】
（付記１１）
前記情報伝達部が前記回転体の中心を通る鉛直線上に到達する前に、前記情報伝達部を前記表示部から脱着させて、前記情報伝達部が配置された部分が前記回転体の中心を通る鉛直線上に位置するように、前記回転体を重力により回転させる付記１０に記載の方法。
【０１２３】
（付記１２）
前記回転体の中心を通る鉛直線上の位置で、前記情報伝達部を前記表示部に接続させる付記１０又は１１に記載の方法。
【符号の説明】
【０１２４】
１    エスカレータ
１ａ    下階側の折り返し部
１ｂ    上階側の折り返し部
２    移動手すり
２ａ    平坦部
２ｂ    折り返し部
３    案内レール
４    内側板
５    駆動輪
１０    表示装置
１１    表示部
１２    プラグ側コネクタ
１３    接続ケーブル
１４    ＲＦＩＤタグ（送信部）
１５    制御部
１６    回転板
１６ａ    回転軸
１６ｂ    回転体の中心
１７    駆動部
１７ａ    駆動軸
１８    レセプタクル側コネクタ（情報伝達部）
１９    ＲＦＩＤリーダ（受信部）
１９ａ    アンテナ
２０    回転停止部
２１    中央制御部
２２    記憶部
２３    表示制御部
２４    駆動制御部
３０    演算部
３１    記憶部
３２    入力部
３３    出力部
４１    プラグ本体
４２    プラグ端子
５１    レセプタクル本体
５２    レセプタクル端子
６０    おもり
【図１】
2012206810.tif 000003
【図２】
2012206810.tif 000004
【図３】
2012206810.tif 000005
【図４】
2012206810.tif 000006
【図５】
2012206810.tif 000007
【図６】
2012206810.tif 000008
【図７】
2012206810.tif 000009
【図８】
2012206810.tif 000010
【図９】
2012206810.tif 000011
【図１０】
2012206810.tif 000012
【図１１】
2012206810.tif 000013
【図１２】
2012206810.tif 000014
【図１３】
2012206810.tif 000015
【図１４】
2012206810.tif 000016
【図１５】
2012206810.tif 000017